(57)【特許請求の範囲】
【請求項１】
音声信号および映像信号を記録する記録媒体と、
上記記録媒体への上記記録と上記記録媒体からの再生とを並行して行うように制御する記録媒体制御手段と
を有し、
上記記録媒体制御手段は、
所定期間の上記音声信号と上記映像信号とを１組として記録するように制御し、上記記録媒体からの再生をｎ（ｎは１を超える値）倍速再生で行う際に、上記所定期間の上記映像信号と上記音声信号の１組を（ｎ−１）個置きに再生すると共に、上記１組の上記映像信号と上記音声信号とに続く次の（ｎ−１）個の上記１組の上記映像信号と上記音声信号のうち該音声信号をそれぞれ再生し、上記音声信号のそれぞれの再生を連続的に行うように制御する
ことを特徴とする映像音声信号記録再生装置。
【請求項２】
請求項１に記載の映像音声信号記録再生装置において、
上記記録媒体制御手段は、
上記１組の映像信号と音声信号とを、上記音声信号を先頭側に、上記映像信号を後ろ側に配置して記録するように制御する
ことを特徴とする映像音声信号記録再生装置。
【請求項３】
請求項１に記載の映像音声信号記録再生装置において、
上記記録媒体制御手段は、
所定期間の映像信号と、該所定期間の映像信号から次に記録する所定期間の映像信号までのそれぞれの映像信号に対応する音声信号とを上記１組として記録するように制御する
ことを特徴とする映像音声信号記録再生装置。
【請求項４】
請求項１に記載の映像音声信号記録再生装置において、
上記音声信号をｎ倍速変換させる変換手段をさらに有する
ことを特徴とする映像音声信号記録再生装置。
【請求項５】
音声信号および映像信号を記録媒体に記録するステップと、
上記記録媒体への上記記録と上記記録媒体からの再生とを並行して行うように制御する記録媒体制御のステップと
を有し、
上記記録媒体制御のステップは、
所定期間の上記音声信号と上記映像信号とを１組として記録するように制御し、上記記録媒体からの再生をｎ（ｎは１を超える値）倍速再生で行う際に、上記所定期間の上記映像信号と上記音声信号の１組を（ｎ−１）個置きに再生すると共に、上記１組の上記映像信号と上記音声信号とに続く次の（ｎ−１）個の上記１組の上記映像信号と上記音声信号のうち該音声信号をそれぞれ再生し、上記音声信号のそれぞれの再生を連続的に行うように制御する
ことを特徴とする映像音声信号記録再生方法。
【発明の詳細な説明】
【０００１】
【発明の属する技術分野】
この発明は、記録媒体に記録された映像音声信号を再生する際に、２倍速再生を行っても全ての音声信号を記録媒体から読み出すことができるような映像音声信号記録再生装置および方法に関する。
【０００２】
【従来の技術】
テレビジョン放送を楽しんでいる最中に、突然、電話の呼出しが鳴ったり、来客があり、放送番組を見逃してしまうことが良くある。テレビジョン放送番組を見逃してしまうと、再放送される番組を除いて、その番組は二度と見ることはできない。短期間のうちに再放送される番組はまれであり、ニュース番組やスポーツ番組は、殆どの場合には、再放送されていない。したがって、多くの場合、テレビジョン放送番組を見逃してしまうと、その番組は二度と見ることはできないことになる。
【０００３】
また、映画やドラマの名場面、重要人物のインタビュー、スポーツ番組のハイライトシーン等、放送番組を見ていて、保存しておきたい場面が突然に始まる場合がある。このような場合、直ちにＶＴＲをセットしても、その場面に間に合わず、その場面を録画できないようなことが良くある。
【０００４】
そこで、本願発明者は、放送番組を見ている最中に、その番組を絶えず記録媒体に記録するようなテレビジョン受像機を提案している。このようなテレビジョン受像機では、突然の電話の呼出しや来客があっても、その番組を遡って再生することができ、番組を見逃すことがなくなる。また、その番組を簡単に保存しておくことができ、記録しておきたい番組が突然始まっても対処できる。
【０００５】
また、本願発明者は、このように番組を絶えず記録媒体に記録するようなテレビジョン受像機における記録媒体として、ハードディスクドライブを用いることを提案している。従来、ビデオ信号を記録する記録媒体としては、磁気テープが広く用いられている。ところが、磁気テープはアクセス速度が遅く、このようなテレビジョン受像機に用いられる記録媒体として用いるのは困難である。また、半導体メモリを用いることが考えられるが、大容量の半導体メモリは非常に高価であると共に、半導体メモリでは、電源が落とされると保存しておいた番組が消えてしまい、番組を長く保存しておくような場合に不向きである。これに対して、ハードディスクドライブは、大容量で、アクセス速度も十分に速い。
【０００６】
図６は、この従来技術による、番組を絶えず記録媒体に記録するようなテレビジョン受像機に用いられる、映像音声記録再生装置の構成の一例を示す。例えば受信されたテレビジョン放送（リアルタイム放送）電波に基づき得られた映像信号が端子２００に対して供給され、音声信号が端子２０１に対して供給される。端子２００に供給された映像信号は、Ａ／Ｄ変換回路２０２でディジタル化され、映像圧縮回路２０３で間引きや圧縮符号化などが行われる。この例では、間引き率が１／４とされる。映像圧縮回路２０３から出力されたビデオデータは、バッファメモリ２０４に一時的に蓄えられる。
【０００７】
同様に、端子２０１に供給された音声信号は、Ａ／Ｄ変換回路２０８でディジタル化され、音声圧縮回路２０９で圧縮符号化される。音声信号に対しては、フィールド単位での間引きは行われない。音声圧縮回路２０９から出力されたオーディオデータは、バッファメモリ２１０に一時的に蓄えられる。
【０００８】
記録／再生コントローラ２０７の制御に基づき、バッファメモリ２０４および２１０に一時的に蓄えられたビデオデータおよびオーディオデータが読み出され、バス２０５を介してハードディスクドライブ２０６に対して書き込まれる。
【０００９】
ハードディスクドライブ２０６に書き込まれたビデオデータおよびオーディオデータは、記録／再生コントローラ２０７の制御に基づき読み出される。ビデオデータは、バッファメモリ２１１に一時的に蓄えられ、オーディオデータは、バッファメモリ２１６に一時的に蓄えられる。
【００１０】
バッファメモリ２１１から読み出されたビデオデータは、映像伸長回路２１２で圧縮符号化を解かれ、Ｄ／Ａ変換回路２１３でアナログ化される。Ｄ／Ａ変換回路２１３から出力された映像信号は、スイッチ回路２１４の端子２１４Ａに供給される。同様に、バッファメモリ２１６から読み出されたオーディオデータは、音声伸長回路２１７で圧縮符号化を解かれ、Ｄ／Ａ変換回路２１８でアナログ化される。Ｄ／Ａ変換回路２１８から出力された音声信号は、スイッチ回路２１９の端子２１９Ａに供給される。
【００１１】
スイッチ回路２１４の端子２１４Ｂには、入力端２００から映像信号が供給され、スイッチ回路２１９の端子２１９Ｂには、入力端２０１から音声信号が供給される。これらスイッチ回路２１４および２１９は、共に記録／再生コントローラ２０７によって切り替えを制御され、入力端２００および２０１から供給されたリアルタイム放送による信号と、ハードディスクドライブ２０６から読み出された再生信号とが選択的に切り替えられる。スイッチ回路２１４および２１９の出力は、それぞれ出力端２１５および２２０へと導出され、ＣＲＴモニタ装置やスピーカによって再生される。
【００１２】
ところで、ハードディスクドライブ２０６に対するデータの書き込みは、１フィールド分のビデオデータと、このビデオデータを先頭とする、連続した４フィールド分に対応するオーディオデータとが組み合わされてなる１組のデータを単位としてなされる。図７は、このオーディオデータおよびビデオデータからなる１組のデータの例を示す。連続した４フィールド分のオーディオデータが先頭に格納され、その後ろに、対応するビデオデータが１フィールド分格納される。ハードディスクドライブ２０６のアドレスに対して、この１組とされたデータがそれぞれ時系列的に連続して配置される。
【００１３】
ハードディスクドライブ２０６におけるデータの書き込みおよび読み出しは、次のようになされる。図８は、１倍速再生の際のディスクアクセス方法の一例を示す。図８Ａおよび図８Ｂに示されるように、端子２００および２０１に対して映像および音声信号がそれぞれ供給される。各区切りは、１フィールドに対応している。この供給された映像および音声信号が上述した所定の処理を介してビデオデータおよびオーディオデータに変換され、ビデオデータがバッファメモリ２０４に書き込まれ、オーディオデータがバッファメモリ２１０に書き込まれる。
【００１４】
信号ａ0 〜ａ3 までの４フィールド分の時間が経過すると、図８Ｃに一例が示されるように、入力音声信号の最初の４フィールド分の音声信号ｂ0 〜ｂ3 が圧縮符号化されたオーディオデータ（まとめてオーディオデータｅ0 と称する）がディスク２０６の所定領域に書き込まれ、後続するアドレスに、対応する４フィールドの入力映像信号の信号ａ0 〜ａ3 の期間における最初の１フィールドに基づくビデオデータａ0 が書き込まれる。これで、オーディオデータとビデオデータとからなる１組のデータが書き込まれる。
【００１５】
同様に、次の１組のデータの書き込みは、信号ａ4 〜ａ7 までの４フィールド分の時間の経過を待って行われる。この例では、次の１組のデータの書き込みは、ビデオデータａ0 のアドレスに続けてなされる。
【００１６】
スイッチ回路２１４および２１９で端子２１４Ｂおよび２１９Ｂがそれぞれ選択されている場合には、リアルタイム放送による映像および音声信号だけが出力端２１５および２２０に対して導出され、モニタ装置やスピーカで再生される。図８Ｇのモニタ出力で、映像信号ａ0 〜ａ6 および対応する音声信号ｂ0 〜ｂ6 とがこれに相当する。
【００１７】
次に、ハードディスクドライブ２０６からのデータの読み出しについて説明する。先ず、１倍速再生、すなわち通常速度での再生の場合について説明する。１倍速再生が指定されると、ハードディスクドライブ２０６からのデータの読み出しが開始される。ここでは、所定の時間ｔ0 だけ遡った時点からの再生が指定されたものとする。ハードディスクドライブ２０６のアドレス上で、対応するデータが書き込まれたアドレスがアクセスされる。
【００１８】
なお、当初、スイッチ回路２１４および２１９では、端子２１４Ｂおよび端子２１９Ｂがそれぞれ選択されている。
【００１９】
ハードディスクドライブ２０６からの読み出しは、ディスクアクセスに要する時間が考慮される。この例では、図８Ｄに示されるように、書き込みと読み出しとの間に、時間ｔが設けられる。なお、この時間ｔは、各々の書き込みと読み出しとの間で互いに等しい必要は無い。先ずオーディオデータが読み出されてバッファメモリ２１６に書き込まれ、続けてビデオデータが読み出されてバッファメモリ２１１に書き込まれる。
【００２０】
例えば、図８Ｄに示される例で、先ず、オーディオデータｆ0 が読み出され、バッファメモリ２１６に対して書き込まれる。続けてビデオデータｃ0 が読み出され、バッファメモリ２１１に対して書き込まれる。この書き込みが終了した次のフィールドに同期させ、バッファメモリ２１１および２１６からデータが読み出される。
【００２１】
バッファメモリ２１１から読み出されたビデオデータｃ0 は、映像伸長回路２１２に供給され、リアルタイムで圧縮符号化を解かれ伸長される。このバッファメモリ２１１からのビデオデータｃ0 の読み出しおよび伸長は、フィールド毎に、４フィールドの期間繰り返して行われる。これにより、例えば図８Ｅに示されるように、ビデオデータｃ0 が４フィールド分繰り返され、次にはビデオデータｃ4 が４フィールド分繰り返される。伸長されたビデオデータｃ0 は、Ｄ／Ａ変換回路２１３を介してアナログ映像信号とされ、スイッチ回路２１４の入力端２１４Ａに供給される。
【００２２】
バッファメモリ２１６からのオーディオデータｆ0 の読み出しは、映像信号の読み出しと同期して行われる。バッファメモリ２１６から読み出されたオーディオデータｆ0 は、音声伸長回路２１７に供給され、リアルタイムで圧縮符号化を解かれ伸長される。これにより、図８Ｆに示されるように、フィールド毎に連続したオーディオデータが得られる。伸長されたオーディオデータｆ0 （オーディオデータｄ0 〜ｄ3 ）は、Ｄ／Ａ変換回路２１８を介してアナログ音声信号とされ、スイッチ回路２１９の端子２１９Ａに供給される。
【００２３】
映像伸長回路２１２または音声伸長回路２１７の伸長動作の開始と同期して、記録／再生コントローラ２０７の制御に基づき、スイッチ回路２１４および２１９において、端子２１４Ａおよび端子２１９Ａがそれぞれ選択される。これにより、入力端２００，２０１からスイッチ回路２１４，２１９の端子２１４Ｂ，２１９Ｂにそれぞれ供給されていた、リアルタイム放送による映像信号および音声信号の代わりに、既に過去にハードディスクドライブ２０６に書き込まれ記録された映像信号および音声信号が出力端２１５および２２０に対して導出される（図８Ｇ）。
【００２４】
このような、ハードディスクドライブ２０６に対する書き込みおよび読み出しを交互に行う。すなわち、前回の書き込み（オーディオデータｅ0 およびビデオデータａ0 ）の開始から４フィールド分の時間が経過した時点で、上述のオーディオデータｆ0 およびビデオデータｃ0 の読み出しが既に終了している。そこで、入力端２００および２０１から供給された次のデータ（オーディオデータｅ4 およびビデオデータａ4 ）の書き込みが上述と同様の処理によってなされ、書き込みが終了すると、時間ｔを待って次のデータ（オーディオデータｆ4 およびビデオデータｃ4 ）の読み出しがなされる。
【００２５】
図９は、このようにしてハードディスクドライブ２０６に書き込まれ記録されたデータを、概念的に示す。データは、４フィールド分のオーディオデータおよび１フィールド分のビデオデータが１組とされ、この組が時系列に従い書き込まれる（図９Ａ）。また、データの読み出しは、例えば上述の１倍速再生の場合、図９ＢにＡ，Ｂ，Ｃ，・・・の順で示されるように、時系列に従い、オーディオおよびビデオデータの組毎に順次データが読み出される。
【００２６】
このようなデータ配置で以て、上述のように、データの書き込みおよび読み出しを並行して行うと、読み出される過去に記録されたデータのアドレスと、新しいデータが書き込まれるアドレスとが離れてしまう場合がある。例えば、これらのアドレスがディスクの最内周と最外周とに離れてしまう可能性がある。このような場合、書き込みから読み出し、また、読み出しから書き込みへと遷移する度に、ディスクのシーク時間および回転待ち時間とが必要とされる。上述した、書き込みと読み出しとの間に設けられた時間ｔは、この、ディスクのシーク時間および回転待ち時間を確保するものである。
【００２７】
【発明が解決しようとする課題】
次に、このような従来技術の構成による、２倍速再生について説明する。図１０は、この２倍速再生の際のディスクアクセス方法の一例を示す。当然であるが、２倍速再生の場合でも、ハードディスクドライブ２０６に対するデータの書き込みは、図１０Ｃに示されるように、上述の１倍速再生の場合と全く同様にして行われるので、ここでは説明を省略する。勿論、入力映像信号および入力音声信号の供給も、図１０Ａおよび図１０Ｂに示されるように、１倍速再生の場合と全く同様である。
【００２８】
２倍速再生の場合の、ハードディスクドライブ２０６からのデータの読み出しは、４フィールド分のオーディオデータと１フィールド分のビデオデータとでなるデータの組が１つ置きに読み出される。すなわち、図１０Ｄの例に示されるように、オーディオデータｆ0 とビデオデータｃ0 とからなる１組のデータが読み出されると、時系列的に次に位置するオーディオデータｆ4 とビデオデータｃ4 とからなる１組が飛び越され、その次に位置するオーディオデータｆ8 とビデオデータｃ8 とからなる１組が読み出される。図９の例では、図９Ｃに示されるように、データの組が１つ置きに、Ａ，Ｂ，Ｃの順に順次読み出される。
【００２９】
こうして、１つ置きに読み出されたデータに基づく出力を図１０Ｅおよび図１０Ｆに示す。出力映像は、図１０Ｅに示されるように、１フィールド分のデータｃ0 が４フィールド分繰り返され、次にデータｃ8 が４フィールド分繰り返され、２倍速再生が実現されている。
【００３０】
ところが、出力音声は、図１０Ｆに示されるように、４フィールド分のデータｄ0 〜ｄ3 が連続的に出力されたのに続けて、データｄ8 〜ｄ11が出力される。すなわち、データｄ3 の次には、４フィールド分先のデータｄ8 が出力されることになる。したがって、飛び越された１組データの部分において音声信号の連続性が保てない。そのため、従来の方法では、２倍速再生をしている間は、消音しておかなければならないという問題点があった。
【００３１】
したがって、この発明の目的は、例えばリアルタイム放送による音声および映像信号を記録媒体に常に記録し、この記録に並行して、記録された信号を読み出し再生する際に、２倍速再生を行っても出力音声の連続性を保てるような映像音声信号記録再生装置および方法を提供することにある。
【００３２】
【課題を解決するための手段】
この発明は、上述した課題を解決するために、音声信号および映像信号を記録する記録媒体と、記録媒体への記録と記録媒体からの再生とを並行して行うように制御する記録媒体制御手段とを有し、記録媒体制御手段は、所定期間の音声信号と映像信号とを１組として記録するように制御し、記録媒体からの再生をｎ（ｎは１を超える値）倍速再生で行う際に、所定期間の映像信号と音声信号の１組を（ｎ−１）個置きに再生すると共に、１組の映像信号と音声信号とに続く次の（ｎ−１）個の１組の映像信号と音声信号のうち音声信号をそれぞれ再生し、音声信号のそれぞれの再生を連続的に行うように制御することを特徴とする映像音声信号記録再生装置である。
【００３３】
またこの発明は、上述した課題を解決するために、音声信号および映像信号を記録媒体に記録するステップと、記録媒体への記録と記録媒体からの再生とを並行して行うように制御する記録媒体制御のステップとを有し、記録媒体制御のステップは、所定期間の音声信号と映像信号とを１組として記録するように制御し、記録媒体からの再生をｎ（ｎは１を越える値）倍速再生で行う際に、所定期間の映像信号と音声信号の１組を（ｎ−１）個置きに再生すると共に、１組の映像信号と音声信号とに続く次の（ｎ−１）個の１組の映像信号と音声信号のうち音声信号をそれぞれ再生し、音声信号のそれぞれの再生を連続的に行うように制御することを特徴とする映像音声信号記録再生方法である。
【００３４】
上述したように、この発明は、再生時に、所定期間の映像信号がｎ個置きに読み出され、（ｎ−１）個置きの読み出しの際に、１組の映像信号と音声信号と、この１組の映像信号と音声信号とに続く（ｎ−１）個の音声信号のそれぞれが記録媒体から読み出されるようにされているために、音声が途切れること無くｎ倍速再生を行うことができる。
【００３５】
【発明の実施の形態】
以下、この発明の実施の一形態を、図面を参照しながら説明する。図１は、この発明の実施の形態を示すものである。図１において、１はこの発明が適用されたテレビジョン受像機であり、２はこのテレビジョン受像機１を操作するためのリモートコマンダである。画面３に対して映像が映出される。テレビジョン受像機１にはハードディスクドライブ部４が内蔵されている。テレビジョン受像機１で受信中の番組は、常にこのハードディクス部４に記録されている。このようなハードディスクドライブ部４が備えられたテレビジョン受像機では、見逃したシーンや再度見たいシーンを遡って再生したり、所望の番組を記録再生したりというようなことが可能になる。
【００３６】
図２は、このようなテレビジョン受像機１を操作するためのリモートコマンダ２の構成の一例を示すものである。リモートコマンダ２には、テレビジョン受像機１の基本的な設定を行なうための各種のキー、すなわち、テレビジョン受像機１の電源のオン／オフするための電源スイッチ１１、チャンネル設定を行なうためのチャンネルキー１２、１２、１２、・・・、チャンネルアップ／ダウンキー１３Ａ及び１３Ｂ、音量アップ／ダウンキー１４Ａ及び１４Ｂ、入力ソース切り換えスイッチ１５が配設される。
【００３７】
更に、この発明が適用されたテレビジョン受像機１を操作するためのリモートコマンダ２には、テレビジョン受像機１のハードディスクドライブ部４を制御するための各種のキーとして、番組ポーズキー１６、ブックマーク記録キー１７、区間リピートキー１８、キャンセルキー１９、逆転スキップ再生キー２０、逆転高速送りキー２１、２倍速キー２２、正転高速送りキー２３、正転スキップキー２４、オーバービュー検索キー２５、矢印キー２６Ａ、２６Ｂ、決定キー２７が配設される。
【００３８】
番組ポーズキー１６が押されると、受信中の画面がその場で停止され、静止画として表示される。その間、テレビジョン受像機１のハードディスクドライブ部４に、その番組が記録される。番組ポーズキー１６が再び押されると、静止画となっている所の場面から、ハードディスクドライブ部４に記録されている番組が再生される。
【００３９】
ブックマーク記録キー１７が押されると、このとき放送されている番組をテレビジョン受像機１のハードディスクドライブ部４に保存させることができる。
【００４０】
区間リピートキー１８により、リピート再生が設定される。区間リピートキー１８が最初に押されると、リピートの開始位置が設定され、区間リピートキー１８が次に押されると、リピートの終了位置が設定される。
【００４１】
キャンセルキー１９は、設定された動作や機能をキャンセルさせる際に押される。
【００４２】
逆転スキップ再生キー２０、逆転高速送りキー２１、２倍速キー２２、正転高速送りキー２３、正転スキップキー２４は、変速再生を行うためのキーである。ハードディスクドライブ部４に記録されている番組を再生中に、２倍速キー２２が押されると、２倍速で番組が再生される。再び押すことで、通常速度での再生に戻される。正転高速送りキー２３が押されている間、さらに高速の再生がなされる。正転スキップキー２４が押されると、再生映像がスキップされる。また、逆転高速送りキー２１が押されている間、高速に逆転再生が行われる。逆転スキップ再生キー２０が押されると、再生映像が逆転方向にスキップされる。
【００４３】
オーバービュー検索キー２５、矢印キー２６Ａ、２６Ｂ、決定キー２７は、番組検索に用いられる。オーバービュー検索キー２５が押されると、テレビジョン受像機１の画面３が、中央の画面と、周囲の複数の小画面とに分割される。周囲の小画面には、ハードディスクドライブに記録されている画面の中から、所定時間毎の画面が表示される。矢印キー２６Ａ及び２６Ｂの操作により、複数の画面の中から、所望の画面が選択され、見たい場面が検索されると、決定キー２７が押される。決定キー２７が押されると、選択された画面から再生が開始される。
【００４４】
図３は、この発明が適用されたテレビジョン受像機１の構成の一例を示すものである。図３において、アンテナ５１で受信された受信信号は、チューナ回路５２に供給される。チューナ回路５２には、システムコントローラ５０からチャンネル設定信号が供給される。チューナ回路５２で、このチャンネル設定信号に基づいて、所望の受信チャンネルの信号が選択され、この信号が中間周波数信号に変換される。
【００４５】
チューナ回路５２の出力が映像中間周波数回路５３に供給される。映像中間周波数回路５３で、チューナ回路５２からの中間周波数信号が増幅され、この信号がビデオ検波される。これにより、例えばＮＴＳＣ方式のコンポジットビデオ信号が得られる。このビデオ信号がビデオソース切り替えスイッチ５５の一方の入力端子５５Ａに供給される。また、中間周波数回路５３の出力の例えば４．５ＭＨｚのビート成分から音声信号が検波される。この出力が音声復調回路６２に供給される。
【００４６】
ビデオソース切り替えスイッチ５５の他方の入力端子５５Ｂには、外部ビデオ入力端子５６からのビデオ信号が供給される。ビデオソース切り替えスイッチ５５には、システムコントローラ５０からセレクト信号が供給される。ビデオソース切り替えスイッチ５５により、受信されたテレビジョン放送に基づくビデオ信号と、外部ビデオ入力端子５６からのビデオ信号とが切り替えられる。
【００４７】
ビデオソース切り替えスイッチ５５の出力がビデオ信号処理回路５７に供給される。ビデオ信号処理回路５７により、ＮＴＳＣ方式のコンポジットビデオ信号から輝度信号Ｙとクロマ信号Ｃとが分離され、更に、クロマ信号Ｃから色差信号Ｕ、Ｖが復調され、コンポーネントビデオ信号Ｙ、Ｕ、Ｖが形成される。このコンポーネントビデオ信号Ｙ、Ｕ、Ｖは、スイッチ回路５８の端子５８Ａに供給されると共に、Ａ／Ｄコンバータ７１に供給される。スイッチ回路５８の他方の入力端子５８Ｂには、Ｄ／Ａコンバータ８５の出力が供給される。
【００４８】
スイッチ回路５８は、受信しているテレビジョン放送又は外部ビデオ入力端子５６からのビデオ信号に基づく画面と、ハードディスクドライブ８０（ハードディスクドライブ部４に対応する）からの再生画面とを切り替えるためのものである。スイッチ回路５８は、記録／再生コントローラ７７により制御される。すなわち、記録／再生コントローラ７７からの制御信号がシステムコントローラ５０を介してスイッチ回路５８に対して供給される。受信しているテレビジョン放送又は外部ビデオ入力端子５６からのビデオ信号に基づく画面を映出する場合には、スイッチ回路５８が端子５８Ａ側に切り替えられる。ハードディスクドライブ８０からの再生画面を映出する場合には、スイッチ回路５８が端子５８Ｂ側に切り替えられる。
【００４９】
スイッチ回路５８の出力が映像出力回路５９に供給される。映像出力回路５９は、スイッチ回路５８からのコンポーネットビデオ信号Ｙ，Ｕ，Ｖから、３原色信号Ｒ，Ｇ，Ｂを形成するマトリクス回路と、この３原色信号Ｒ，Ｇ，Ｂをドライブしてカラー受像管６１に供給するための映像増幅回路とを有する。映像出力回路５９で、スイッチ回路５８からのコンポーネットビデオ信号Ｙ，Ｕ，Ｖが３原色信号Ｒ，Ｇ，Ｂに変換され、カラー受像管６１に供給される。
【００５０】
また、中間周波数回路５３の出力の例えば４．５ＭＨｚのビート成分から検波れた音声信号は、音声復調回路６２に供給される。音声復調回路６２で、オーディオ信号が復調される。このオーディオ信号がオーディオソース切り替えスイッチ６３の入力端子６３Ａに供給される。
【００５１】
オーディオソース切り替えスイッチ６３の他方の端子６３Ｂには、外部オーディオ入力端子６４からのオーディオ信号が供給される。オーディオソース切り替えスイッチ６３により、受信されたテレビジョン放送に基づくオーディオ信号と、外部オーディオ入力端子６４からのオーディオ信号とが選択される。
【００５２】
オーディオソース切り替えスイッチ６３の出力は、スイッチ回路６５の端子６５Ａに供給されると共に、Ａ／Ｄコンバータ７５に供給される。スイッチ回路６５の他方の入力端子６５Ｂには、Ｄ／Ａコンバータ８７の出力が供給される。
【００５３】
スイッチ回路６５は、受信しているテレビジョン放送又は外部オーディオ入力端子６４からのオーディオ信号と、ハードディスクドライブ８０から再生されたオーディオ信号との切り替えを行なうものである。スイッチ回路６５は、記録／再生コントローラ７７により制御される。すなわち、記録／再生コントローラ７７からの制御信号がシステムコントローラ５０を介してスイッチ回路５８に対して供給される。受信しているテレビジョン放送又は外部オーディオ入力端子６４からのオーディオ信号を出力する場合には、スイッチ回路６５が端子６５Ａ側に切り替えられる。ハードディスクドライブ８０からのオーディオ信号を出力する場合には、スイッチ回路６５が端子６５Ｂ側に切り替えられる。
【００５４】
スイッチ回路６５の出力がオーディオアンプ６６に供給される。オーディオアンプ６６で、スイッチ回路６５からのオーディオ信号が増幅される。このオーディオ信号がスピーカ６７に供給される。
【００５５】
ビデオ信号処理回路５７からのコンポーネントビデオ信号Ｙ，Ｕ，Ｖは、Ａ／Ｄコンバータ７１に供給される。Ａ／Ｄコンバータ７１で、ビデオ信号処理回路５７からのコンポーネントビデオ信号がディジタル化される。Ａ／Ｄコンバータ７１の出力がフィールドメモリ７２に供給される。この実施の一形態においては、ビデオデータは、間引き率が１／４で間引きされる。したがって、フィールドメモリ７２には、４フィールド毎にビデオデータが書き込まれる。
【００５６】
フィールドメモリ７２の出力が画像圧縮回路７３に供給される。画像圧縮回路７３で、このコンポーネントビデオ信号が圧縮される。画像の圧縮方式としては、例えば、モーションＪＰＥＧが用いられる。画像圧縮回路７３で圧縮されたビデオデータは、例えばＦＩＦＯ(First In,First Out)からなるバッファメモリ７４に一時的に書き込まれる。
【００５７】
オーディオソース切り替え回路６３からのオーディオ信号は、Ａ／Ｄコンバータ７５に供給される。Ａ／Ｄコンバータ７５で、オーディオソース切り替え回路６３からのオーディオ信号がディジタル化される。Ａ／Ｄコンバータ７５の出力が音声圧縮回路７６に供給される。音声圧縮回路７６で、オーディオ信号が圧縮される。音声の圧縮方式としては、例えば、ノンリニアＰＣＭが用いられる。音声圧縮回路７６で圧縮されたオーディオ信号は、例えばＦＩＦＯ(First In,First Out)からなるバッファメモリ９５に一時的に書き込まれる。
【００５８】
記録／再生コントローラ７７の制御に基づき、バッファメモリ７４および９５からビデオデータおよびオーディオデータが読み出される。読み出されたこれらのデータは、バス７８を介してハードディスクドライブ８０に対して書き込まれる。
【００５９】
このハードディスクドライブ８０に対するデータの書き込みは、上述の従来技術で図７を用いて説明したように、間引きされた１フィールド分のビデオデータと、このビデオデータを先頭とする、連続した４フィールド分に対応するオーディオデータとが組み合わされてなる１組のデータを単位としてなされる。連続した４フィールド分のオーディオデータが先頭に格納され、その後ろに、対応するビデオデータが１フィールド分格納される。ハードディスクドライブ８０のアドレスに対して、この１組とされたデータがそれぞれ時系列的に連続して配置される。
【００６０】
ハードディスクドライブ８０に記録されているビデオデータおよびオーディオデータは、記録／再生コントローラ７７の制御の基に、再生される。ハードディスクドライブ８０から読み出され再生されたオーディオデータは、バス７８を介して、例えばＦＩＦＯからなるバッファメモリ９６に一時的に書き込まれる。同様に、ハードディスクドライブ８０から読み出され再生されたビデオデータは、バス７８を介して、例えばＦＩＦＯからなるバッファメモリ８１に一時的に書き込まれる。
【００６１】
記録／再生コントローラ７７の制御に基づき、バッファメモリ８１からビデオデータが読み出される。ビデオデータは、間引き率１／４で間引きされているため、４フィールドの間、バッファメモリ８１から同じデータが繰り返し読み出される。読み出されたビデオデータは、画像伸長回路８２に供給される。画像伸長回路８２で、例えばモーションＪＰＥＧで圧縮されていたビデオデータから、コンポーネントビデオデータＹ，Ｕ，Ｖが形成される。画像伸長回路８２の出力が、マルチ画面を形成するための画像処理回路８３、フィールドメモリ８４を介して、Ｄ／Ａコンバータ８５に供給される。Ｄ／Ａコンバータ８５で、ディジタルビデオ信号がアナログビデオ信号に変換される。このＤ／Ａコンバータ８５の出力がスイッチ回路５８の端子５８Ｂに供給される。
【００６２】
また、記録／再生コントローラ７７の制御に基づき、バッファメモリ９６からオーディオデータが読み出される。読み出されたオーディオデータは、音声伸長／話速変換回路８６に供給される。音声伸長／話速変換回路８６の出力がＤ／Ａコンバータ８７に供給される。Ｄ／Ａコンバータ８７によりディジタルオーディオ信号がアナログオーディオ信号に変換される。このＤ／Ａコンバータ８７の出力がスイッチ回路６５の端子６５Ｂに供給される。
【００６３】
システムコントローラ５０は、テレビジョン受像機１の全体の制御を行なっている。システムコントローラ５０と、記録／再生処理コントローラ７７とは、双方向に接続される。
【００６４】
システムコントローラ５０には、受光部９２を介して、リモートコマンダ２から入力が与えられる。このリモートコマンダ２からの入力に基づいて、各種の動作が設定される。システムコントローラ５０の出力が表示発生回路９４に供給される。表示発生回路９４からは、各種の動作設定状態を示す表示信号が発生される。この表示発生回路９４の出力が映像出力回路５９に供給され、各種の動作状態が画面上に表示される。
【００６５】
次に、この発明による、２倍速再生を行う際のハードディスクドライブ８０に対するアクセス方法について説明する。なお、書き込みならびに１倍速での読み出しは、上述の従来技術において図１０を用いて説明した方法と全く同一なので、省略する。
【００６６】
この発明においては、２倍速再生を行う際には、４フィールド分のオーディオデータと、このオーディオデータに続くビデオデータと、さらにこのビデオデータに続く４フィールド分のオーディオデータとが１組として読み出しがなされる。
【００６７】
図４は、この２倍速再生の際のデータの読み出しを概念的に示す。図４Ａに一例が示されるように、ハードディスクドライブ８０において、連続した４フィールド分のオーディオデータｆ0 に後続してこのオーディオデータｆ0 に対応した１フィールド分のビデオデータｃ0 が配置され、このビデオデータｃ0 に後続して次の４フィールド分のオーディオデータｆ4 が配置され、さらにこのオーディオデータに後続してこのオーディオデータｆ4 に対応したビデオデータｃ4 が配置される。以下同様にして、４フィールド分のオーディオデータと対応する１フィールド分のビデオデータからなる１組のデータがそれぞれ時系列的に連続して配置される。１倍速での再生の際には、図４Ｂに示されるように、この１組を単位として、Ａ，Ｂ，Ｃ，・・・というように、順次連続的にデータが読み出される。
【００６８】
２倍速再生の際には、図４Ｃに示されるように、例えばオーディオデータｆ0 およびビデオデータｃ0 とからなる１組のデータに続けて、さらに次の組のオーディオデータｆ4 が読み出される。そして、次の読み出しの際には、オーディオデータｆ4 と組であるビデオデータｃ4 が飛び越され、次の組のデータ、すなわち、オーディオデータｆ8 とビデオデータｃ8 が読み出され、さらに続けて次の組のオーディオデータｆ12が読み出される。このように、この発明では、２倍速再生の際には、Ａ’，Ｂ’，Ｃ’，・・・というように、ビデオデータは１つ置きに、オーディオデータは連続的に読み出される。
【００６９】
図５は、この２倍速再生の際のディスクアクセス方法の一例を示す。当然であるが、入力映像信号および入力音声信号の供給は、図５Ａおよび図５Ｂに示されるように、１倍速再生の場合と全く同様になされる。
【００７０】
２倍速再生の際のハードディスクドライブ８０に対するデータの書き込みおよび読み出しは、次のようになされる。図５Ａおよび図５Ｂに示されるように、Ａ／Ｄ変換回路７１および７５に対して映像および音声信号がそれぞれ供給される。各区切りは、１フィールドに対応している。この供給された映像および音声信号が上述した所定の処理を介してビデオデータおよびオーディオデータに変換され、ビデオデータがバッファメモリ７４に書き込まれ、オーディオデータがバッファメモリ９５に書き込まれる。
【００７１】
信号ａ0 〜ａ3 までの４フィールド分の時間が経過すると、図５Ｃに一例が示されるように、入力音声信号の最初の４フィールド分の音声信号ｂ0 〜ｂ3 が圧縮符号化されたオーディオデータ（まとめてオーディオデータｅ0 と称する）がディスク８０の所定領域に書き込まれ、後続するアドレスに、対応する４フィールドの入力映像信号の信号ａ0 〜ａ3 の期間における最初の１フィールドに基づくビデオデータａ0 が書き込まれる。これで、オーディオデータとビデオデータとからなる１組のデータが書き込まれる。
【００７２】
同様に、次の１組のデータの書き込みは、信号ａ4 〜ａ7 までの４フィールド分の時間の経過を待ってなされる。この例では、次の１組のデータの書き込みは、ビデオデータａ0 のアドレスに続けてなされる。
【００７３】
スイッチ回路５８および６５で端子５８Ｂおよび６５Ｂがそれぞれ選択されている場合には、リアルタイム放送による映像および音声信号がカラー受像管６１およびスピーカ６７に対して出力される。図５Ｇのモニタ出力で、映像信号ａ0 〜ａ6 および対応する音声信号ｂ0 〜ｂ6 とがこれに相当する。
【００７４】
次に、ハードディスクドライブ８０からのデータの読み出しについて説明する。例えばリモートコマンダ２の２倍速キー２２を押すことによって、２倍速再生が指定される。この例では、図５に時点Ａで示される位置で、時間ｔ0 だけ遡った位置からのデータを２倍速再生するように指定されたものとする。
【００７５】
２倍速再生の指示がシステムコントローラ５０を介して記録／再生コントローラ７７に供給され、ハードディスクドライブ８０からのデータの読み出しが開始される。ハードディスクドライブ８０のアドレス上で、対応するデータが書き込まれたアドレス、すなわち、時間ｔ0 だけ遡った時刻に書き込みが行われたアドレスがアクセスされる。
【００７６】
ハードディスクドライブ８０からの読み出しは、ディスクアクセスに要する時間が考慮される。この例では、図５Ｄに示されるように、書き込みと読み出しとの間に、時間ｔが設けられる。なお、この時間ｔは、各々の書き込みと読み出しとの間で互いに等しい必要は無い。読み出されたオーディオデータおよびビデオデータは、それぞれバッファメモリ９６および８１に対して書き込まれる。
【００７７】
例えば、図５Ｄに示される例で、先ず、オーディオデータｆ0 が読み出され、バッファメモリ９６に対して書き込まれる。続けてビデオデータｃ0 が読み出され、バッファメモリ８１に対して書き込まれる。このビデオデータｃ0 の読み出しに続けて、さらに、次の組のオーディオデータｆ4 が読み出される。読み出されたオーディオデータｆ4 は、バッファメモリ９６に書き込まれる。一方、バッファメモリ８１に対するビデオデータの書き込みが終了した次のフィールドに同期させ、バッファメモリ８１からビデオデータｃ0 が読み出される。
【００７８】
なお、この２倍速の読み出しにおいて、上述の１倍速の場合と比べ、ビデオデータｃ0 に続けて読み出されるオーディオデータｆ4 の分だけディスクに対するアクセス時間が長くなっている。しかしながら、オーディオデータは、ビデオデータに比べ十分サイズが小さいため、ディスクアクセスに要する時間ｔの確保にについて問題は生じない。
【００７９】
バッファメモリ８１から読み出されたビデオデータｃ0 は、映像伸長回路８２に供給され、リアルタイムで圧縮符号化を解かれ伸長される。このバッファメモリ８１からのビデオデータｃ0 の読み出しおよび伸長は、フィールド毎に、４フィールドの期間繰り返して行われる。これにより、例えば図５Ｅに示されるように、ビデオデータｃ0 が４フィールド分繰り返される。伸長されたビデオデータｃ0 は、画面処理回路８３を介してＤ／Ａ変換回路８５に供給される。そして、このビデオデータｃ0 は、Ｄ／Ａ変換回路８５でアナログ映像信号とされ、スイッチ回路５８の端子５８Ｂに供給される。
【００８０】
バッファメモリ９６からのオーディオデータｆ0 およびｆ4 の読み出しは、映像信号と同期して行われる。バッファメモリ９６から読み出されたオーディオデータｆ0 およびｆ4 は、音声伸長／話速変換回路８６に供給され、リアルタイムで圧縮符号化を解かれ伸長され、さらに話速変換される。
【００８１】
２倍速再生の場合、ビデオデータｃ0 が４フィールド分繰り返して読み出されるのに対して、オーディオデータは、オーディオデータｆ0 およびｆ4 の８フィールド分ある。そこで、この８フィールド分のオーディオデータｆ0 およびｆ4 を４フィールド内で再生するために、話速変換が施される。音声伸長／話速変換回路８６は、例えばＤＳＰ(Digital Signal Processor)からなり、供給されたオーディオデータに対して、サンプリング単位での１／２の間引きおよびフィルタリング処理が施されることによって、話速変換がなされる。
【００８２】
伸長および話速変換されたオーディオデータｆ0 およびｆ4 は、Ｄ／Ａ変換回路８７を介してアナログ音声信号とされ、スイッチ回路６５の端子６５Ｂに供給される。これにより、１フィールドに対して２フィールド分のデータが連続的に詰め込まれた音声信号が得られる。すなわち、図５Ｆに一例が示されるように、映像信号ｃ0 に対応した音声信号ｄ0 〜ｄ3 と、次の映像信号ｃ4 に対応した音声信号ｄ4 〜ｄ8 とが連続的に２倍速で得られる。
【００８３】
映像伸長回路８２または音声伸長／話速変換回路８６の伸長動作の開始と同期して、記録／再生コントローラ７７の制御に基づき、スイッチ回路５８および６５において、端子５８Ｂおよび端子６５Ｂがそれぞれ選択される。これにより、当初、端子５８Ａおよび端子６５Ａがそれぞれ選択され、スイッチ回路５８，６５にそれぞれ供給されていた、リアルタイム放送による映像信号および音声信号の代わりに、Ｄ／Ａ変換回路８５および８７から出力された映像信号および音声信号がスイッチ回路５８および６５からそれぞれ出力される。（図５Ｇ）。
【００８４】
このような、ハードディスクドライブ８０に対する書き込みおよび読み出しを交互に行う。ビデオデータは、１つ置きに読み出され、オーディオデータは、ビデオデータの直前と直後に連続して配置されるデータが読み出される。
【００８５】
すなわち、前回の書き込み（オーディオデータｅ0 およびビデオデータａ0 ）の開始から４フィールド分の時間が経過した時点で、上述のオーディオデータｆ0 ，ｆ4 ，およびビデオデータｃ0 の読み出しが既に終了している。そこで、次のデータ（オーディオデータｅ4 およびビデオデータａ4 ）の書き込みが上述と同様の処理によってなされ、書き込みが終了すると、時間ｔを待って次のデータ（オーディオデータｆ8 ，ｆ12，およびビデオデータｃ8 ）の読み出しがなされる。
【００８６】
このように２倍速の際の読み出しを制御することで、図５Ｇに示されるように、音声信号が２倍速で連続的に再生される。すなわち、１フィールド期間に２フィールド分のオーディオデータが連続的に読み出され、再生される。オーディオデータは、連続しており、２倍速再生の際も消音する必要がない。
【００８７】
なお、上述では、この発明が２倍速再生に対して適用されるように説明したが、これはこの例に限定されること無く、３倍速，４倍速，・・・というように、ｎ倍速再生に適用することができる。すなわち、再生時に、オーディオデータとビデオデータとの組を（ｎ−１）個置きに読み出し、読み出されたこの１組のデータに続く（ｎ−１）組のデータのそれぞれからオーディオデータを読み出すことによって、ｎ倍速再生が可能とされる。読み出されたオーディオデータは、例えば音声伸長／話速変換回路８６で１／ｎの速度に話速変換される。ｎの値は、話速変換後の音声信号の連続性やハードディスクドライブ８０に対するアクセスのタイミングを考慮した上で決めると好ましい。
【００８８】
【発明の効果】
以上説明したように、この発明によれば、２倍速再生の際にも、全てのオーディオデータをハードディスクドライブから読み出すことができ、音声の連続性が保たれる効果がある。また、それにより、２倍速再生の際にも、消音することなく音声を出力することができる効果がある。
【図面の簡単な説明】
【図１】この発明の実施の形態を示す略線図である。
【図２】テレビジョン受像機を操作するためのリモートコマンダの構成の一例を示す略線図である。
【図３】この発明が適用されたテレビジョン受像機の構成の一例を示すブロック図である。
【図４】２倍速再生の際のデータの読み出しを示す概念図である。
【図５】２倍速再生の際のディスクアクセス方法の一例を示す略線図である。
【図６】従来技術による、番組を絶えず記録媒体に記録するようなテレビジョン受像機に用いられる、映像音声記録再生装置の構成の一例を示すブロック図である。
【図７】オーディオデータおよびビデオデータからなる１組のデータの例を示す略線図である。
【図８】１倍速再生の際のディスクアクセス方法の一例を示す略線図である。
【図９】ハードディスクドライブに書き込まれ記録されたデータを示す概念図である。
【図１０】従来技術による、２倍速再生の際のディスクアクセス方法の一例を示す略線図である。
【符号の説明】
１・・・テレビジョン受像機、２・・・リモートコマンダ、３・・・画面、４・・・ハードディスクドライブ部、１６・・・番組ポーズキー、１９・・・キャンセルキー、２１・・・高速逆転再生キー、２３・・・高速正転再生キー、５０・・・システムコントローラ、５８，６５・・・スイッチ回路、７４，８１，９５，９６・・・バッファメモリ、７７・・・記録／再生コントローラ、８０・・・ハードディスクドライブ
【図１】
0003744118.tif 000002
【図２】
0003744118.tif 000003
【図３】
0003744118.tif 000004
【図４】
0003744118.tif 000005
【図５】
0003744118.tif 000006
【図６】
0003744118.tif 000007
【図７】
0003744118.tif 000008
【図８】
0003744118.tif 000009
【図９】
0003744118.tif 000010
【図１０】
0003744118.tif 000011